(57)【要約】【課題】  脚柱長さ調整装置として、脚柱の長さ変更を極めて容易に、安全確実に行え、一人でも充分に調整操作できるものを提供する。【解決手段】  スライド自在に嵌合した上下の支柱１，２より脚柱Ｌが構成され、下支柱２にボルト挿通孔２３が形成され、上支柱１にはロック孔１１が上下方向に沿って一定間隔置きの複数箇所に形成され、一箇所のロック孔１１とボルト挿通孔２３とに連通させた固定用ボルト８によって両支柱１，２を所要のスライド位置で固定する構造において、上支柱１に、ボルト挿通孔２３が一箇所のロック孔１１と連通状態にあるときに、他の一箇所のロック孔１１に係嵌するクリックストッパー７が取り付けられている。クリックストッパー７は、上下支柱１，２の固定解除状態において、ロック孔１１との係嵌部分で上支柱１にかかる自荷重を支持し、自荷重を越える一定以上の負荷が加わった際にロック孔１１から離脱する。【選択図】        図２
2006034475.tif 000002
【特許請求の範囲】
【請求項１】
スライド自在に嵌合した上下の支柱より脚柱が構成され、一方の支柱の一箇所にボルト挿通孔が形成されると共に、他方の支柱にはロック孔が長手方向に沿って一定間隔置きの複数箇所に形成され、その一箇所のロック孔と前記ボルト挿通孔とに連通させた固定用ボルトによって両支柱を所要のスライド位置で固定する構造であり、
前記ボルト挿通孔を有する一方の支柱に、該ボルト挿通孔が他方の支柱の一箇所のロック孔と連通状態にあるときに、他の一箇所のロック孔に係嵌するクリックストッパーが取り付けられ、
該クリックストッパーは、上下支柱の固定解除状態において、前記ロック孔との係嵌部分で上部側の支柱にかかる自荷重を支持すると共に、該自荷重を越える一定以上の負荷が加わった際にロック孔から離脱するように設定されてなる脚柱長さ調整装置。
【請求項２】
前記クリックストッパーが、ばねの付勢によって先端球面部を前記ロック孔に係嵌させるばね付き突子からなる請求項１記載の脚柱長さ調整装置。
【請求項３】
内嵌側の支柱の開口端に、外嵌側の支柱の内周面に対する摺接部を備えた合成樹脂製のエンドキャップが嵌着されると共に、外嵌側の支柱の開口縁部に、内嵌側の支柱の外周面に摺接するブシュ部を備えた環状口縁部材が嵌着されてなる請求項１又は２に記載の脚柱長さ調整装置。
【請求項４】
前記複数箇所のロック孔が内嵌側の支柱に設けられ、前記の環状口縁部材にクリックストッパー保持部が設けられてなる請求項３記載の脚柱長さ調整装置。
【請求項５】
前記固定用ボルトが外嵌側の支柱外周面に密接する合成樹脂製の受け座を通してボルト挿通孔に挿嵌され、該受け座が外面側にボルト頭部を納める凹部を有すると共に、この受け座と環状口縁部材のクリックストッパー保持部とが支柱外周面からの高さ及び幅を略同一として該支柱の長手方向に直列状に配置してなる請求項４記載の脚柱長さ調整装置。
【請求項６】
前記複数箇所のロック孔が内嵌側の支柱の周壁に設けられると共に、この内嵌側の支柱の内部に、各ロック孔に対応して前記固定用ボルトに螺合し得る複数のナットを設けた帯板が、該ロック孔を有する周壁から離間して固着されてなる請求項１〜５のいずれかに記載の脚柱長さ調整装置。
【発明の詳細な説明】
【技術分野】
【０００１】
この発明は、例えば学習用机や脇机の天板、椅子の座部、家具の飾り棚等の高さを変更するための脚柱長さ調整装置に関する。
【背景技術】
【０００２】
一般的に、この種の脚柱長さ調整装置は、脚柱をパイプ状の下支柱と、これにスライド自在に挿入したパイプ状の上支柱とで構成し、両支柱を所望のスライド位置で止着固定するものであるが、その固定には安全面から使用中に不用意に外れる懸念のないボルト止めが多用されている。
【０００３】
そして、ボルト止めによる固定では、下支柱の上端近傍にボルト挿通孔を形成する一方、上支柱には長手方向に沿って一定間隔置きにロック孔を設け、一箇所のロック孔とボルト挿通孔との連通部に固定用ボルトを挿通してナットに螺合緊締する直止め方式や、上支柱に縦溝から長手方向所定間隔置きに左右へ凹入する複数の掛窓を設け、所望の掛窓に係合させたロック金具のボルト挿通孔に固定用ボルトを挿通し、このボルトを下支柱のボルト挿通口を通して上支柱内に配置したボルト止め金具に螺合緊締する間接ロック方式（例えば、特許文献１〜３）が知られている。
【特許文献１】実公昭４４−２３７９７号公報
【特許文献２】実用新案登録第２５７２４９４号公報
【特許文献３】特許第３２６０６５６号公報
【０００４】
これらボルト止めによる固定においては、上支柱の一定間隔置きに設けたロック孔又は掛窓の選択によって脚柱長さを段階的に変更できるが、その変更に際し、固定用ボルトを緩めて上下支柱の固定を解除すると、直ちに上支柱が自荷重で下支柱内に落ち込もうとする。このため、取扱い者は、上支柱側の重量を支えながら、必要な脚柱長さに設定してボルト止めすることになる。
【０００５】
しかしながら、上支柱側は天板や椅子本体等の上位構造によって全体重量が大きいため、脚柱長さ調整時に該上支柱側を支えながら上下させて、直止め方式ではボルト挿通孔を目的とするロック孔に、また間接ロック方式ではロック金具の係止部を目的とする掛窓にそれぞれ合わせるのが容易でなく、その合わせた位置を保ちつつ固定用ボルトを締結するにも非常に困難を伴うことから、一人では操作しにくく、多大な労力及び時間を費やすという問題があった。
【発明の開示】
【発明が解決しようとする課題】
【０００６】
この発明は、上述の事情に鑑みて、脚柱長さ調整装置として、脚柱の長さ変更を極めて容易に且つ安全確実に行え、一人でも充分に調整操作できるものを提供することを目的としている。
【０００７】
上記目的を達成するために、この発明の請求項１に係る脚柱長さ調整装置は、スライド自在に嵌合した上下の支柱より脚柱が構成され、一方の支柱の一箇所にボルト挿通孔が形成されると共に、他方の支柱にはロック孔が長手方向に沿って一定間隔置きの複数箇所に形成され、その一箇所のロック孔と前記ボルト挿通孔とに連通させた固定用ボルトによって両支柱を所要のスライド位置で固定する構造であり、前記ボルト挿通孔を有する一方の支柱に、該ボルト挿通孔が他方の支柱の一箇所のロック孔と連通状態にあるときに、他の一箇所のロック孔に係嵌するクリックストッパーが取り付けられ、該クリックストッパーは、上下支柱の固定解除状態において、前記ロック孔との係嵌部分で上部側の支柱にかかる自荷重を支持すると共に、該自荷重を越える一定以上の負荷が加わった際にロック孔から離脱するように設定されてなるものとしている。
【０００８】
そして、請求項２の発明は、上記請求項１の脚柱長さ調整装置において、前記クリックストッパーが、ばねの付勢によって先端球面部を前記ロック孔に係嵌させるばね付き突子からなるものとしている。
【０００９】
請求項３の発明は、上記請求項１又は２の脚柱長さ調整装置において、内嵌側の支柱の開口端に、外嵌側の支柱の内周面に対する摺接部を備えた合成樹脂製のエンドキャップが嵌着されると共に、外嵌側の支柱の開口縁部に、内嵌側の支柱の外周面に摺接するブシュ部を備えた環状口縁部材が嵌着されてなるものとしている。
【００１０】
また、請求項４の発明は、上記請求項３の脚柱長さ調整装置において、前記複数箇所のロック孔が内嵌側の支柱に設けられ、前記の環状口縁部材にクリックストッパー保持部が設けられてなる構成としている。
【００１１】
更に、請求項５の発明は、上記請求項４の脚柱長さ調整装置において、前記固定用ボルトが外嵌側の支柱外周面に密接する合成樹脂製の受け座を通してボルト挿通孔に挿嵌され、該受け座が外面側にボルト頭部を納める凹部を有すると共に、この受け座と環状口縁部材のクリックストッパー保持部とが支柱外周面からの高さ及び幅を略同一として該支柱の長手方向に直列状に配置してなる構成としている。
【００１２】
一方、請求項６の発明は、請求項１〜５のいずれかの脚柱長さ調整装置において、前記複数箇所のロック孔が内嵌側の支柱の周壁に設けられると共に、この内嵌側の支柱の内部に、各ロック孔に対応して前記固定用ボルトに螺合し得る複数のナットを設けた帯板が、該ロック孔を有する周壁から離間して固着されてなるものとしている。
【発明の効果】
【００１３】
請求項１の発明に係る脚柱長さ調整装置では、上下支柱の片側に設けたロック孔の選択によって脚柱長さを段階的に変更できるが、その変更に際して固定用ボルトを緩めて上下支柱の固定を解いた時、他のロック孔に係嵌しているクリックストッパーによって上支柱側の自荷重が支えられるため、上支柱側が手離し状態でも不用意に落ち込むことがない。そして、クリックストッパーはボルト挿通孔がロック孔に連通する全ての高さ位置で他のロック孔に係嵌するから、上下支柱の固定解除後、脚柱長さを変えるために上支柱側を上げ下げすれば、元のロック孔から離脱したクリックストッパーが他のロック孔に嵌まる手応えでボルト挿通孔とロック孔との適正な連通位置を確認できると共に、目的とする高さの連通位置になれば、上支柱側は支えなくともクリックストッパーの係嵌によって該連通位置に保たれるから、上支柱側を手離した状態で支障なく固定用ボルトの締結操作を行え、もって少ない労力で且つ安全確実に脚柱長さを調整でき、一人でも容易に短時間で作業を完了できる。
【００１４】
請求項２の発明によれば、上記の脚柱長さ調整装置におけるクリックストッパーにばね付き突子を用いているから、簡単で安価な部材構成によってクリックストッパーとしての高い作動信頼性を確保できる。
【００１５】
請求項３の発明によれば、上記の脚柱長さ調整装置において、上下支柱が内嵌側の支柱のエンドキャップと外嵌側の支柱の環状口縁部材とで摺接するため、脚柱長さを調整する際に上下支柱を軽くスライド操作できると共に、上下支柱の嵌合部が上下で密接するから、該嵌合部でのがたつきを生じない。
【００１６】
請求項４の発明によれば、上記の上下支柱が内嵌側の支柱のエンドキャップと外嵌側の支柱の環状口縁部材とで摺接する構成において、ロック孔が内嵌側の支柱に設けられ、環状口縁部材にクリックストッパー保持部を有するから、上下支柱の嵌合部が外観的にすっきりしたものになると共に、クリックストッパーを保持する専用部材が不要となり、それだけ部材コスト及び組立コストが低減される。
【００１７】
請求項５の発明によれば、上下支柱が内嵌側の支柱のエンドキャップと外嵌側の支柱の環状口縁部材とで摺接し、且つ環状口縁部材にクリックストッパー保持部を有する上記の構成において、前記固定用ボルトのボルト頭部が受け座に納まると共に、この受け座と上記のクリックストッパー保持部とが連続するような形で支柱外周面から突出しているため、上下支柱の嵌合部の外観がより向上する。
【００１８】
請求項６の発明によれば、上記の脚柱長さ調整装置において、固定用ボルトが上下支柱を貫通せずに内嵌側の支柱内部のナットに螺合する構造であるから、ナット部分が外部に露呈せず、それだけ外観が良くなると共に、固定用ボルトがボルト挿通孔及びロック孔とナット部分との３ヵ所に係合するので、上下支柱が安定した強固な固定状態となる。
【発明を実施するための最良の形態】
【００１９】
以下、この発明に係る脚柱長さ調整装置を学習机に適用した実施形態について、図面を参照して具体的に説明する。図１〜図６は第一実施形態、図７〜図１０は第二実施形態を示し、両実施形態で共通する部分については同一符号を附している。しかして、学習机は、図１及び図７に示すように、第一実施形態用と第二実施形態用のいずれにおいても、左右の各脚柱Ｌがスライド自在に嵌合した上下の支柱１，２より構成され、左右一対の上支柱１，１とコ字形の天板受けフレームＦ及び天板Ｐとで一体の昇降部１０を構成すると共に、左右の下支柱２，２が各下端に連結された前後方向の接地脚部Ｂ，Ｂと、両下支柱２，２の下部間に横架した補強桟Ｓとで脚台部２０を構成している。
【００２０】
第一実施形態の脚柱長さ調整装置では、図１〜図３に示すように、上下の支柱１，２は共に金属製で水平断面が長円形のチューブ状をなし、径の大きい下支柱２内に上支柱１の下部側が挿嵌しており、上支柱１の下端開口１ａに合成樹脂製のエンドキャップ３が嵌着される一方、下支柱２の上端部には、いずれも合成樹脂製で上端開口２ａに嵌着する環状口縁部材４と長径方向の両外側に配置する合成樹脂製の受け座５及びナットカバー６が取り付けられている。
【００２１】
そして、上支柱１は、下端側から所定の長さの範囲において、上下方向一定間隔置きの複数箇所に、各々長径方向両側端で対向する２個ずつのロック孔１１，１１が穿設されており、下端開口１ａの近傍の幅方向中央にはねじ挿通孔１２を有している。また、下支柱２は、その上端開口２ａ縁から長径方向の一側端へ開く縦長矩形の切欠部２１、この切欠部２１の下縁から前方へ突出する突片２２、該突片２２の下方に位置するボルト挿通孔２３、該ボルト挿通孔２３に対向して長径方向の他側端に穿設された縦長矩形のナット嵌合孔２４、このナット嵌合孔２４の上方に設けたねじ挿通孔２５、ナット嵌合孔２４の下方に設けたナットカバー係止孔２６を有している。
【００２２】
上支柱１のエンドキャップ３は、小判形の厚板部３ａの片面に一対のＴ字状立ち上げ壁３０，３０より構成される嵌入部３ｂが一体形成され、この嵌入部３ｂにおける立ち上げ壁３０，３０間の橋架部３０ａに、短径方向に沿うねじ止め孔３１が設けられ、また厚板部３ａの外周面に複数本の上下方向に沿うリブ３２…が形成されている。そして、このエンドキャップ３は、嵌入部３ｂを上支柱１の下端開口１ａに嵌入した状態で、該上支柱１の側方外部からねじ挿通孔１２を通してねじ１３をねじ止め孔３１に螺挿することにより、図２に示すように、厚板部３ａが外に出た状態で該上支柱１に止着されると共に、該上支柱１に外嵌した下支柱２の内周面に対してリブ３２…で摺接するようになっている。
【００２３】
一方、下支柱２の環状口縁部材４は、該下支柱２の上端開口２ａの全周縁に内面側から外面側にわたって被さる環状口縁部４ａと、この環状口縁部４ａの内縁側から延出して短径方向両側に対向配置したブシュ部４ｂ，４ｂと、長径方向一端側で環状口縁部４ａから外側へ突出した箱枠状のクリックストッパー保持部４ｃとで構成されており、この保持部４ｃ内にクリックストッパーとしてのばね付き突子７が装填されている。しかして、この環状口縁部材４は、クリックストッパー保持部４ｃが下支柱２の切欠部２１に嵌合する形で、該下支柱２の上端開口２ａに嵌着され、この嵌着状態で環状口縁部４ａの内周とブシュ部４ｂ，４ｂが該下支柱２に内嵌した上支柱１の外周面に対して摺接すると共に、ばね付き突子７の半球状の突子７ａがクリックストッパー保持部４ｃの内壁に設けた窓４１に臨んでいる。
【００２４】
このばね付き突子７は、クリックストッパー保持部４ｃの窓４１が上支柱１のロック孔１１に連通する位置に来た時、図２及び図５に示すように、コイルスプリング７ｂの付勢によって該ロック孔１１に係嵌することになる。なお、下支柱２の突片２２は、クリックストッパー保持部４ｃの下向き開放部を塞ぐように配置し、もってばね付き突子７の下方への脱落を防止している。
【００２５】
受け座５は、縦長の箱枠状で、内面側が下支柱１の短径側の外周面に対応した凹曲面をなし、外面側中央部に設けた凹部５ａの底部から内面側へ透通するボルト挿通孔５１を有している。また、ナットカバー６は、下半部に内向きに開放したナット抱持部６ａを有する縦長の箱枠状で、内面側がやはり下支柱１の短径側の外周面に対応した凹曲面をなし、上端部にねじ挿通孔６ｂを有すると共に、内側の下端に逆Ｌ字形の係止片６ｃが突設されている。
【００２６】
上記の受け座５は、上下支柱１，２の嵌合状態において、下支柱２の突片２２の下側の外周面に当てがい、もって連通したボルト挿通孔２３，５１に外側から固定用ボルト８を突入させ、更に該固定用ボルト８を前後一対のロック孔１１，１１を通して上支柱１に貫通させ、その先端側を下支柱２のナット嵌合孔２４に嵌め込んだ矩形ナット９に螺合して締め付けることにより、該固定用ボルト８のボルト頭部８ａとスプリングワッシャ１４を凹部５ａに納めた形で下支柱２の上端近傍に固定される。なお、矩形ナット９は、内面側が上支柱１の短径側の外周面に対応する凹曲面をなしており、螺合した固定用ボルト８の緊締により、図２及び図４に示すように、内面側が上支柱１に密着状態で押接する。
【００２７】
一方、ナットカバー６は、係止片６ｃを下支柱２のナットカバー係止孔２６に係合し、そのナット抱持部６ａに矩形ナット９を納める形で該下支柱２の短径側の外周面に当てがい、ねじ挿通孔６ｂに外側から挿通させたねじ１５を下支柱２のねじ挿通孔２５を通して環状口縁部材４の環状口縁部４ａに螺挿することにより、環状口縁部材４と一体に下支柱２に止着される。
【００２８】
ここで、下支柱２のボルト挿通孔２３と、該下支柱２の上端開口２ａに嵌着した環状口縁部材４におけるクリックストッパー保持部４ｃの窓４１との間隔は、上支柱１のロック孔１１…の上下方向の配設ピッチと合致するように設定されている。従って、図２に示すように、固定用ボルト８が下支柱２のボルト挿通孔２３を通して上支柱１の前後一対のロック孔１１，１１に挿通する位置、つまりボルト挿通孔２３とロック孔１１のいずれかとの連通位置において、その連通位置よりも一つ上のロック孔１１に対してばね付き突子７の突子７が常に係嵌することになる。
【００２９】
なお、図１及び図２に示すように、受け座５は下支柱２の該周面からの側方突出高さと幅が環状口縁部材４のクリックストッパー保持部４ｃと略同一になるように寸法設定されており、もって受け座５とクリックストッパー保持部４ｃとは一体物のように上下に直列配置して見栄えよくなっている。また、直列配置した受け座５とクリックストッパー保持部４ｃに対し、ナットカバー６が略同寸法で下支柱２の長径方向反対側へ対称的に突出した形になっており、これによって上下支柱１，２の嵌合部分はすっきりした良好な外観を呈している。
【００３０】
上記第一実施形態の脚柱長さ調整装置を適用した学習机において、その天板Ｐの高さを変更する場合、まず左右両側の脚柱Ｌ，Ｌの各々について、固定用ボルト８を緩めて抜き取る。これにより、上下支柱１，２の固定が解除されるが、図６（イ）に示すように、左右両側の脚柱Ｌ，Ｌ共にばね付き突子７が上支柱１のロック孔１１に係嵌しており、この係嵌部分で昇降部１０の自荷重（左右の上支柱１，１と天板Ｐ及び天板受けフレームＦの合計重量）が支承される。従って、左右の固定用ボルト８，８を抜き取る際に昇降部１０を支えていなくとも、該昇降部１０が不用意に落ち込む懸念がないから、抜き取り作業を安全且つ容易に行える。
【００３１】
次に、天板Ｐを高くする場合は昇降部１０を持ち上げ、逆に低くする場合は昇降部１０を押し下げるが、この昇降操作により、ばね付き突子７が図６（ロ）の如く上支柱１のロック孔１１から離脱する。しかして、昇降部１０を昇降させる過程で、昇降スライドする上支柱１のロック孔１１が下支柱２のボルト挿通孔２３との連通位置になる度に、そのロック孔１１よりも一段上位にあるロック孔１１に対し、ばね付き突子７の突子７ａがコイルスプリング７ｂの付勢によって図６（イ）の如く係嵌する。従って、昇降部１０を昇降操作する者は、ばね付き突子７がロック孔１１に係嵌する手応えにより、上下支柱１，２の固定が可能な高さ位置になったことを容易に確実に認識できる。
【００３２】
かくして天板Ｐの好ましい高さ範囲で上下支柱１，２が固定可能な位置になれば、抜き取っていた固定用ボルト８，８を用い、それぞれ連通したボルト挿通孔２３，４１及びロック孔１１，１１を通して矩形ナット９に螺合緊締すればよい。しかして、この上下支柱１，２のボルト止め操作は、昇降部１０の自荷重がばね付き突子７のロック孔１１への係嵌部分で支持されるから、該昇降部１０を手離した状態で安全且つ容易に行える。
【００３３】
このように、上記の脚柱長さ調整装置によれば、脚柱長さを変更する際、昇降部１０を支えずに上下支柱１，２の固定用ボルト８を脱着できる上、昇降部１０を上げ下げする過程で上下支柱１，２を固定可能な高さ位置が自ずと判明するから、取扱い者が一人であっても少ない労力で容易に短時間で作業を完了できる。また、上下支柱１，２は上支柱１側のエンドキャップ３と下支柱２側の環状口縁部材とで少ない接触面積の元に摺接するため、脚柱長さの調整において上支柱１を軽く昇降操作できると共に、調整後の学習机は上下支柱１，２が嵌合部の上下位置で密接しているから、該嵌合部でのがたつきを生じず安定した使用状態となる。
【００３４】
第二実施形態の脚柱長さ調整装置は、図７〜図１０に示すように、上下の支柱１，２は前記第一実施形態と同様に金属製で水平断面長円形のチューブ状をなし、径の大きい下支柱２内に上支柱１の下部側が挿嵌しており、上支柱１の下端開口１ａに合成樹脂製のエンドキャップ３が嵌着される一方、下支柱２の上端部には、合成樹脂製で上端開口２ａに嵌着する環状口縁部材４と長径方向の片側に配置する合成樹脂製の受け座５が取り付けられている。
【００３５】
そして、上支柱１は、下端側から所定の長さの範囲において、周壁１ｂの長径方向片側に沿って複数のロック孔１１…が上下方向一定間隔置きに穿設されると共に、内部に各ロック孔１１に対応して上下方向一定間隔置きに透孔１６及びナット１７を設けた帯板１８が配置している。しかして、この帯板１８は、片面側に各透孔１６に臨んでナット１７を溶接固着したものであり、前方へ曲げ出した上下端部１８ａ，１８ａで周壁１ｂの上下の凹陥部１ｃ，１ｃにねじ止めすることにより、各透孔１６が各ロック孔１１と長径方向で間隔を置いて対向する形で上支柱１内に固着されている。なお、エンドキャップ３は前記第一実施形態のものと同様である。
【００３６】
下支柱２は、前記第一実施形態におけるナット嵌合孔２４とねじ挿通孔２５及びナットカバー係止孔２６を有していないが、それ以外の構造は第一実施形態と同様であり、その上端開口２ａには第一実施形態と同じ環状口縁部材４が同様に嵌着されると共に、そのクリックストッパー保持部４ｃの下に直列して第一実施形態と同じ受け座５が配置している。しかるに、この受け座５の凹部５ａにボルト頭部８ａをスプリングワッシャ１４と共に納めた固定用ボルト８は、第一実施形態のものよりも短く設定されており、図８（ロ）及び図９に示すように、下支柱２のボルト挿通孔２３と上支柱１のロック孔１１及び透孔１６を通してナット１７に螺合緊締することにより、両支柱１，２を連結固定している。
【００３７】
しかして、この第二実施形態においても、下支柱２のボルト挿通孔２３と、該下支柱２の上端開口２ａに嵌着した環状口縁部材４におけるクリックストッパー保持部４ｃの窓４１との間隔は、上支柱１のロック孔１１…の上下方向の配設ピッチと合致するように設定されている。従って、図８（ロ），図９，図１０に示すように、固定用ボルト８が下支柱２のボルト挿通孔２３を通して上支柱１のいずれかのロック孔１１に挿通する位置、つまりボルト挿通孔２３とロック孔１１のいずれかとの連通位置において、その連通位置よりも一つ上のロック孔１１に対してばね付き突子７の突子７が常に係嵌する。
【００３８】
この第二実施形態の脚柱長さ調整装置を適用した学習机においても、天板Ｐの高さを変更する場合の操作は、前記の第一実施形態と同様にして行える。すなわち、まず左右両側の脚柱Ｌ，Ｌの各々について、固定用ボルト８を抜き取って上下支柱１，２の固定を解除するが、この際に昇降部１０を支えていなくとも、左右両側の脚柱Ｌ，Ｌ共にばね付き突子７が上支柱１のロック孔１１に係嵌して昇降部１０の自荷重を支承するから、該昇降部１０が不用意に落ち込む懸念がなく、抜き取り作業を安全且つ容易に行える。そして、次に昇降部１０の昇降操作を行うと、ばね付き突子７が上支柱１のロック孔１１から離脱するが、昇降スライドする上支柱１のロック孔１１が下支柱２のボルト挿通孔２３との連通位置になる度に、それよりも一段上位にあるロック孔１１にばね付き突子７が係嵌するから、その手応えによって上下支柱１，２の固定が可能な高さ位置になったことを容易に確実に認識できる。
【００３９】
かくして天板Ｐの好ましい高さ範囲で上下支柱１，２が固定可能な位置になれば、抜き取っていた固定用ボルト８，８を用いて両支柱１，２を連結固定するが、この位置においても昇降部１０の自荷重がばね付き突子７のロック孔１１への係嵌部分で支持されるから、このボルト止め操作も昇降部１０を手離した状態で安全且つ容易に行える。従って、取扱い者が一人であっても、脚柱長さを変更する際の作業全体を少ない労力で容易に短時間で作業を完了できる。
【００４０】
しかして、この第二実施形態では、固定用ボルト８が上下支柱１，２を貫通せずに上支柱１内のナット１７に螺合するから、ナット部分が外部に露呈せず、それだけ外観が良くなる。また、固定用ボルト８が上下支柱１，２を貫通していない構造であっても、該固定用ボルト８はボルト挿通孔２３とロック孔１１及びナット部分との３ヵ所に係合するので、上下支柱１，２が安定した強固な固定状態となる。
【００４１】
なお、上記の第一及び第二実施形態ではボルト挿通孔２３を有する下支柱２に上下方向一定間隔置きにロック孔１１…を有する上支柱１が挿嵌する構造を例示したが、この発明の脚柱長さ調整装置は、上下支柱１，２の内外の挿嵌関係を例示とは逆にした構成や、外嵌側の支柱に上下方向一定間隔置きのロック孔１１…を設けた構成としてもよい。また、両実施形態ではボルト挿通孔２３とクリックストッパー係嵌位置との間隔をロック孔１１…の配設ピッチに合致させているが、該間隔をロック孔１１…の配設ピッチの整数倍として、ボルト挿通孔２３とロック孔１１のいずれかとの連通位置において、その隣よりも離れた位置にあるロック孔１１にクリックストッパーが係嵌する構成としてもよい。
【００４２】
一方、前記実施形態ではクリックストッパーとして半球形の突子７ａとコイルスプリング７ｂとからなるばね付き突子７を用いているが、例えば、ストッパー部がボールやピン軸であるもの、ストッパーの付勢手段として板ばね、タコばね、皿ばねの如き他のばね材を用いるもの等、種々の構造のものを採用できる。また、このようなクリックストッパーを支柱に取り付けるのに専用の保持部材を用いてもよいが、例示のように環状口縁部材４にクリックストッパー保持部４ｃを設けるようにすれば、部材コスト及び組立コストを低減できるという利点がある。
【００４３】
その他、この発明に係る脚柱長さ調整装置の細部構成については実施形態以外に種々設計変更可能である。また、このような脚柱長さ調整装置は、例示した学習机に限らず、脇机の天板、椅子の座部、家具の飾り棚等の種々の部位を高さ変更可能に支持する脚柱に適用可能である。
【図面の簡単な説明】
【００４４】
【図１】この発明に係る第一実施形態の脚柱長さ調整装置を適用した学習机の斜視図である。
【図２】同第一実施形態の脚柱長さ調整装置の要部の縦断側面図である。
【図３】同第一実施形態の脚柱長さ調整装置の分解斜視図である。
【図４】図２のIV−IV線における断面図である。
【図５】図２のＶ−Ｖ線における断面図である。
【図６】同脚柱長さ調整装置におけるクリックストッパー部分を示し、（イ）図は係嵌状態の縦断側面図、（ロ）図は離脱状態の縦断側面図である。
【図７】この発明に係る第二実施形態の脚柱長さ調整装置を適用した学習机の側面図である。
【図８】同第二実施形態の脚柱長さ調整装置の要部を示し、（イ）図は下支柱側を縦断して示す正面図、（ロ）図は縦断側面図である。
【図９】図８（ロ）のIX−IX線における断面図である。
【図１０】図８（ロ）のＸ−Ｘ線における断面矢視図である。
【符号の説明】
【００４５】
１  ・・・上支柱
１ａ・・・下端開口
１ｂ・・・周壁
１１・・・ロック孔
１７・・・ナット
１８・・・帯板
２  ・・・下支柱
２ａ・・・上端開口
２３・・・ボルト挿通孔
３  ・・・エンドキャップ
３２・・・リブ（摺接部）
４  ・・・環状口縁部材
４ｂ・・・ブシュ部
４ｃ・・・クリックストッパー保持部
５  ・・・受け座
５ａ・・・凹部
７  ・・・ばね付き突子（クリックストッパー）
７ａ・・・突子
７ｂ・・・コイルスプリング
８  ・・・固定用ボルト
８ａ・・・ボルト頭部
９  ・・・矩形ナット
Ｌ  ・・・脚柱
Ｐ  ・・・天板
【図１】
2006034475.tif 000003
【図２】
2006034475.tif 000004
【図３】
2006034475.tif 000005
【図４】
2006034475.tif 000006
【図５】
2006034475.tif 000007
【図６】
2006034475.tif 000008
【図７】
2006034475.tif 000009
【図８】
2006034475.tif 000010
【図９】
2006034475.tif 000011
【図１０】
2006034475.tif 000012